(57)【特許請求の範囲】
【請求項１】
被包装物を包む筒状のシュリンクフィルムと、
第一パネル部と、開口部が形成された第二パネル部と、前記第一パネル部と前記第二パネル部との間に設けられ、前記シュリンクフィルムに包まれた被包装物を支持するための載置部と、を有し、前記シュリンクフィルムが接着される一枚の台紙と、
を備え、
前記第一パネル部及び前記第二パネル部が前記載置部に対して折り曲げられた状態で、前記第一パネル部及び前記第二パネル部の少なくとも一部が互いに接合され、
折り曲げられた前記台紙の前記載置部の奥行方向に前記シュリンクフィルムが開口し、
前記シュリンクフィルムは前記載置部に接着部を介して貼りつけられている
シュリンクフィルム付台紙。
【請求項２】
前記接着部は、前記載置部と前記第一パネル部または第二パネル部との折り線に対して交差する方向に延びて設けられ、前記シュリンクフィルムは、前記接着部が延びる方向に筒状に貼りつけられている
請求項１に記載のシュリンクフィルム付台紙。
【請求項３】
前記開口部の下端部は、前記載置部と前記第二パネル部との折り線を含む位置に形成されている請求項１または請求項２に記載のシュリンクフィルム付台紙。
【請求項４】
前記載置部の縁端部が前記開口部に延出して形成され、
前記第二パネル部が前記載置部に対して折り曲げられた状態で、前記縁端部が前記載置部と前記第二パネル部との前記折り線よりも前方に突出するように構成される
請求項３に記載のシュリンクフィルム付台紙。
【請求項５】
前記第一パネル部に開口部が形成されている請求項１から請求項４のいずれか一項に記載のシュリンクフィルム付台紙。
【発明の詳細な説明】
【技術分野】
【０００１】
本発明はシュリンクフィルム付台紙に係り、特に被包装物が重い場合であっても安定して保持可能なシュリンクフィルム付台紙に関する。
【背景技術】
【０００２】
従来、商品となる被包装物を外部から視認可能に梱包する収納容器が用いられている。例えば、ブリスター包装、スキンパック、カード包装等、透明な包装材で直接包まれた被包装物が、商品表示やデザインが印刷された台紙に固定される包装が用いられている。ブリスター包装は、熱成形したプラスチックシートに被包装物を収納して、台紙で塞いで包装する方法である。スキンパックは、台紙の上に被包装物を載せて、上から加熱したフィルムで直接包装する方法である。カード包装は、紙、合成樹脂、或いは金属板からなる台紙に被包装物を合成樹脂の熱収縮性の皮膜で被覆し、皮膜を過熱して熱収縮させて全体を緊密一体的に被着させて包装する方法である。
【０００３】
上記包装の一例として、台紙に塗布した粘着剤により熱収縮性チューブ（筒状のシュリンクフィルム）を接着させてシュリンクフィルム付台紙とし、被包装物を収納した状態で、シュリンクフィルムを熱収縮させて、被包装物を台紙に取り付けた包装体が知られている（特許文献１、特許文献２）。
さらに、シュリンクフィルム付台紙として、吊り下げ陳列と、商品棚等に自立させた陳列との両方が可能な形態も幾つか提案されている（特許文献３）。
【先行技術文献】
【特許文献】
【０００４】
【特許文献１】特開昭４９−３７９６号公報
【特許文献２】特開２０１３−８２４６０号公報
【特許文献３】特開２０１２−２０７６２号公報
【発明の概要】
【発明が解決しようとする課題】
【０００５】
特許文献１から特許文献３に開示の包装では、台紙の前面に被包装物を貼り付けるため、被包装物の重量が重い場合や、大きさが大きい場合等、台紙の前方の離れた位置に被包装物の重心が位置して吊り下げ陳列時に台紙が前方に撓んで、見栄えが悪くなる場合がある。
【０００６】
特許文献３に開示の包装では、シュリンクフィルムの開口が被包装物の上下方向に位置するため、店頭にて商品を吊り下げ陳列や棚置き陳列する際、商品（被包装物）の底部や天面部に埃が付着する場合がある。
【０００７】
また、被包装物の見せたい面を前面に配置して台紙に貼り付けたいという要望がある。例えば、キャップの上面に商品の特徴が記載された筒状の容器では、キャップの上面が前面となるように配置して包装したい。この他、例えば、身体のテーピング用の粘着テープ等では、伸縮性やクッション性を有する粘着テープが巻き芯に巻かれた円筒形状を有する。このような粘着テープでは、商品名等が記されたシートを粘着テープの厚さ方向の面に設ける場合があり、視認性を高めるために、このシートを前面に配置して包装したい。特許文献１及び特許文献２に開示の包装では、台紙にシュリンクフィルムを筒状に貼り付けた状態で、被包装物をシュリンクフィルムの筒状の空間に配置してシュリンクフィルムを熱収縮させる。そのため、粘着テープのシートを前面に配置するためには、シュリンクフィルムの筒形状の軸線に対して、粘着テープの巻き芯が直交する方向に配置する必要がある。このとき、伸縮性やクッション性を有する粘着テープのように被包装物が柔らかい場合は、シュリンクフィルムにより被包装物の外形が歪む場合があり、美観を損ねる可能性がある。
【０００８】
また、軸方向に長い筒形状や直方体形状の被包装物等、軸方向と周方向の寸法が大幅に異なる形状の被包装物を、台紙に対して長軸が直交する方向に包装する場合、シュリンクフィルムの周方向の寸法とシュリンクフィルムの軸方向の寸法が大幅に異なる。そのため、シュリンクフィルムと台紙との接着部が短く、被包装物が重い場合に被包装物を安定して支持させることが難しい。
【０００９】
本発明は、上記の事情に鑑みてなされたもので、重量が大きい被包装物や、寸法の縦横比が大きい被包装物を前面に突出させて包装する場合でも、視認性を確保しながら安定して包装可能なシュリンクフィルム付台紙を提供することを目的とする。
【課題を解決するための手段】
【００１０】
本発明に係るシュリンクフィルム付台紙は、被包装物を包む筒状のシュリンクフィルムと、第一パネル部と、開口部が形成された第二パネル部と、前記第一パネル部と前記第二パネル部との間に設けられ、前記シュリンクフィルムに包まれた被包装物を支持するための載置部と、を有し、前記シュリンクフィルムが接着される一枚の台紙と、を備え、前記第一パネル部及び前記第二パネル部が前記載置部に対して折り曲げられた状態で、前記第一パネル部及び前記第二パネル部の少なくとも一部が互いに接合され、折り曲げられた前記台紙の前記載置部の奥行方向に前記シュリンクフィルムが開口し、前記シュリンクフィルムは前記載置部に接着部を介して貼りつけられている。
【００１２】
本発明に係るシュリンクフィルム付台紙では、前記接着部は、前記載置部と前記第一パネル部または第二パネル部との折り線に対して交差する方向に延びて設けられ、前記シュリンクフィルムは、前記接着部が延びる方向に筒状に貼りつけられていてもよい。
【００１３】
本発明に係るシュリンクフィルム付台紙では、前記開口部の下端部は、前記載置部と前記第二パネル部との折り線を含む位置に形成されていてもよい。
【００１４】
本発明に係るシュリンクフィルム付台紙では、前記載置部の縁端部が前記開口部に延出して形成され、前記第二パネル部が前記載置部に対して折り曲げられた状態で、前記縁端部が前記載置部と前記第二パネル部との前記折り線よりも前方に突出するように構成されてもよい。
【００１５】
本発明に係るシュリンクフィルム付台紙は、前記第一パネル部に開口部が形成されていてもよい。
【発明の効果】
【００１６】
本発明によれば、重量が大きい被包装物や、寸法の縦横比が大きい被包装物を前面に突出させて包装する場合でも、視認性を確保しながら安定して収納可能なシュリンクフィルム付台紙を提供することができる。
【図面の簡単な説明】
【００１７】
【図１】本発明の一実施形態に係るシュリンクフィルム付台紙の使用態様を示す斜視図である。
【図２】本発明の一実施形態に係るシュリンクフィルム付台紙の平面図である。
【図３】本発明の一実施形態に係るシュリンクフィルム付台紙の使用態様を示す正面図である。
【図４】シュリンクフィルム付台紙の変形例の平面図である。
【図５】シュリンクフィルム付台紙の変形例の使用態様を示す側面図である。
【図６】図５の正面図である。
【発明を実施するための形態】
【００１８】
以下、本発明に係るシュリンクフィルム付台紙の一実施形態を、図１及び図２を参照して説明する。
図１は、本実施形態に係るシュリンクフィルム付台紙１の使用態様を示す斜視図である。図２は、シュリンクフィルム付台紙１を展開した状態を示す平面図である。
【００１９】
本実施形態に係るシュリンクフィルム付台紙１は、図１及び図２に示すように、シュリンクフィルム２と、一枚の台紙３とを備える。シュリンクフィルムは、熱収縮性を有するフィルムであり、熱収縮されることで、内部に配置された被包装物の一部または全部を包む。
【００２０】
シュリンクフィルム２は、矩形のフィルムの対向する二つの側縁２１、２２を重ねて筒状に丸め、重なり合った側縁２１、２２同士を接着して封筒貼りにすることでシール部２３が形成されている。
【００２１】
シュリンクフィルム２は、加熱により収縮するフィルムであればよい。シュリンクフィルム２の材質としては、例えば、ポリスチレン、ポリ塩化ビニル、ポリプロピレン、ポリエチレン、或いは、ポリエステル系の樹脂が好ましく用いられる。ポリエステル系の樹脂として、農産物由来の持続可能な素材である、ポリ乳酸を用いることも可能であり、環境に対応した包装として好ましく用いることができる。
【００２２】
また、シュリンクフィルム２としては、一軸延伸フィルム、二軸延伸フィルムのいずれも採用することができるが、熱収縮時の形状変化制御を行う観点では、一軸延伸フィルムの方が好ましい。例えば、シュリンクフィルム２は、端部を貼り合わせて筒状にしたときに、周方向の収縮が軸方向の収縮より大きくなるようにフィルムを配置すると、シュリンク包装を行う際の収縮時に被包装物Ｐがシュリンクフィルム２から外れることがないので、本用途には適している。
【００２３】
また、シュリンクフィルム２は、加熱時の収縮率（収縮した際の所定方向における長さの減少率）が高いほど収縮時に大きい張力を発生させるため、例えば収縮率４０％以上のシュリンクフィルム等が好ましい。ただし、当該張力は、シュリンクフィルム２の面積等によっても変化するため、被包装物Ｐの形状や、接着される側である台紙３の剛性等によって、シュリンクフィルム４の収縮率や面積は適宜設定されて良い。シュリンクフィルムは、被包装物Ｐの寸法より長く設定される。さらに、シュリンクフィルム付台紙１の使用前の流通段階等でシュリンクフィルム２が収縮を開始しないように、シュリンクフィルム２の収縮開始温度は６０℃以上に設定されるのが好ましい。
【００２４】
台紙３は、第一パネル部４と、第二パネル部５と、載置部６とを備える。図２に示すように、台紙３は、略長方形状の一枚のシートに第一パネル部４と、載置部６と、第二パネル部５とが図２に示す矢印Ｙ方向（台紙の長手方向）に順に設けられ、それぞれの領域の境界に折り線８１、８２が形成されている。なお、図２に示す矢印Ｙ方向は、シュリンクフィルム付台紙１を立体にしたときは、第一パネル部４及び第二パネル部５の縦方向及び載置部６の奥行方向となる。
【００２５】
シュリンクフィルム付台紙１に用いる台紙３には、紙、プラスチックシート、或いは金属板などの板状のものが使用できる。紙としては、厚紙で剛性（コシ）のあるものであれば、特に限定されない。また表面にアルミ蒸着層のあるアルミ蒸着紙なども使用できる。台紙３には、被包装物Ｐの商品名や説明の他、意匠性を高める模様等が適宜印刷されてもよい。
【００２６】
第二パネル部５は、略矩形に形成され、図２に示す矢印Ｘ方向の中央部、且つ、載置部６との折り線８２付近が切り抜かれた開口部５２が形成されている。シュリンクフィルム付台紙１を立体に組み立てた時の第二パネル部５の上端部５１の略中央部には、シュリンクフィルム付台紙１を吊り下げ展示するための貫通孔９が形成されている。開口部５２は、被包装物Ｐの形状や大きさに応じて適宜設定される。本実施形態では、開口部５２は、矢印Ｙ方向に平行に延びる二本の直線部５２１と、第二パネル部５の上端部５１に向かって凸となるアーチ部５２２を有して形成されている。
【００２７】
載置部６は、第一パネル部４と第二パネル部５との間に位置する。載置部６の矢印Ｙ方向の寸法は、第一パネル部４及び第二パネル部５の矢印Ｙ方向の寸法よりも短い。載置部６の図２に示す矢印Ｘ方向の中央部には、載置部６の縁端部６１が第二パネル部５の開口部５２に突出するように延びる延出部６２が形成されている。折り線８２は、延出部６２を避けて、矢印Ｘ方向の延出部６２の両側に形成されている。
【００２８】
第一パネル部４は、略矩形に形成され、シュリンクフィルム付台紙１を立体に組み立てた時の上端部４１の略中央部には、シュリンクフィルム付台紙１を吊り下げ展示するための貫通孔９が形成されている。矢印Ｙ方向において、第一パネル部４の寸法は、第二パネル部５よりわずかに短い。
【００２９】
載置部６の図２に示す矢印Ｘ方向の中央部には、接着部３５が設けられてシュリンクフィルム２が貼り付けられている。接着部３５は、載置部６上に、折り線８１に直交する方向に延びる長方形となるように設けられている。接着部３５に用いる接着剤には、特許文献１のように粘着剤を用いてもよい。また、ホットメルト接着剤を用いてもよい。特に日の当たる店頭などで、高温に曝される等の場合は、反応型ホットメルト接着剤が好ましい。従来のホットメルト接着剤は、熱可塑性樹脂を成分として、固形のホットメルト接着剤を加熱、融解して塗布し、冷却することにより固化、接着するものであり、耐熱性の点では限界がある。
【００３０】
反応型ホットメルト接着剤は、最初は固形であって、これを加熱溶融させて用いることは、従来の可塑性樹脂のホットメルト接着剤と同じであるが、塗布、冷却後に、反応が進み硬化して、耐熱性などの物性の高い接着性が得られる。ウレタン樹脂を主成分とした反応型ホットメルト接着剤は、加熱溶融により生成されたウレタンプレポリマーが、冷却されると末端イソシアネート基を残した状態で固化し、冷却された後も、空気中や被着材に含まれる水分と末端イソシアネート基が反応し、高分子化が進み、より耐熱性の高い接着性を得ることができる。ウレタン樹脂を主成分とした反応型ホットメルト接着剤は、塗布後に特に硬化を進めるための処理を必要としないので、好ましく用いることができる。
【００３１】
シール部２３は、接着部３５により台紙３の載置部６に貼り付けられている。シール部２３は、接着部３５側の面、つまり、台紙３の載置部６と当接する側の面にあることが好ましい。被包装物を包装してシュリンクさせたシュリンクフィルム２が載置部６から立ち上がった際に、なるべく目立たないように接着部３４の近傍に配置されるとより好ましい。
筒状のシュリンクフィルム２は、一方の開口が折り線８１に沿って配置され、他方の開口が縁端部６１よりも前方に突出して配置され、筒をつぶすように矢印Ｙ方向に折り目が設けられている。
【００３２】
次に、図１及び図３を参照して、シュリンクフィルム付台紙１を立体に組み立てた状態を説明する。図３は、シュリンクフィルム付台紙１の使用態様を示す正面図である。図１に示すように、台紙３を二つの折り線８１、８２で折って、第一パネル部４及び第二パネル部５を起こして立体にし、第一パネル部４の上端部４１と第二パネル部５の上端部５１とを揃えて当接させる。この状態で第一パネル部４と第二パネル部５とを接着剤等で貼り付ける。第二パネル部５の矢印Ｙ方向の寸法は第一パネル部４よりも長いので、第二パネル部５は、図１に示すように、第一パネル部４側に撓んで湾曲面を形成する。第二パネル部５と載置部６との境界の折り線８２は、延出部６２を避けて形成されているので、第二パネル部５が立ち上げられても、延出部６２は折れ曲がらずに、載置部６の他の部位と同一面上に位置する。
【００３３】
台紙３が立体にされた状態で、被包装物Ｐを開口部５２側の筒状のシュリンクフィルム２の開口から挿入する。本実施形態では、円柱形状の被包装物Ｐを包装する例を示す。
被包装物Ｐは、第一パネル部４の折り線８１との間に３ｍｍ以上の隙間を設けて配置し、且つ、第二パネル部５側では、シュリンクフィルムの端部よりも内側（第一パネル部４側）に端部が位置するように配置する。すなわち、シュリンクフィルム２は、被包装物Ｐが挿入された状態では、第一パネル部４側において被包装物Ｐの端部よりも３ｍｍ以上突出し、第二パネル部５側では、被包装物Ｐの前面の位置よりも前方に長く突出した状態となる。
【００３４】
被包装物Ｐが筒状のシュリンクフィルム２内に配置された状態で、１８０℃近辺あるいは、５５〜６０℃程度で加熱して、シュリンクフィルム２を熱収縮させるシュリンク包装を行うことで、シュリンクフィルム２を被包装物Ｐに密着させる。このときには、反応型ホットメルト接着剤の硬化は進んでいるので、熱によって接着部３５の接着強度が落ちることがない。したがって、シュリンクフィルム２が台紙１２から剥がれたり、シュリンクフィルム２の台紙３に対する貼着位置がずれることがない。
【００３５】
被包装物Ｐが筒状のシュリンクフィルム２に包装された状態で、被包装物Ｐは、上面Ｐ１側の一部が開口部５２よりも外側（前方）に突出している。被包装物Ｐの上面Ｐ１側の一部は、延出部６２により支持されている。一方、被包装物Ｐの下面（不図示）は第一パネル部４に近接している。
【００３６】
このように、被包装物Ｐが立体のシュリンクフィルム付台紙１に包装されると、店舗などで商品展示台に設けられたフック等に貫通孔９を通して店頭で吊下げ展示できる。また、載置部６が底部となり、商品展示台に直接置いて展示でき、円柱形状の被包装物Ｐであっても図３に示すように、上面Ｐ１を前方に配置しながら展示でき、被包装物Ｐが周方向に転がることがない。
【００３７】
本実施形態に係るシュリンクフィルム付台紙１では、被包装物が載置部で安定して支持される。このため、重い被包装物や、長尺な被包装物であっても台紙の撓みや破損を防いで、外観を損ねることなく展示することができる。したがって、重量が大きい被包装物や、寸法の縦横比が大きい被包装物を前面に突出させて包装する場合でも、視認性を確保しながら安定して包装可能である。
【００３８】
本実施形態に係るシュリンクフィルム付台紙１では、開口部５２の下端部５３は載置部６と第二パネル部５との間の折り線８２を含む位置に形成されているので、被包装物Ｐが載置部６で支持された状態で、被包装物Ｐが開口部５２から視認できる。したがって、被包装物Ｐを包装容器の外側から容易に視認できる。
【００３９】
本実施形態に係るシュリンクフィルム付台紙１は、底部に載置部６を有し、上面側は第一パネル部４及び第二パネル部５で覆われ、且つ、筒状のシュリンクフィルム２の開口がシュリンクフィルム付台紙１の奥行方向に開口する。そのため、被包装物の上下面が被覆され、商品の陳列時に埃が付着し難く、外観を損ねることなく展示することができる。
【００４０】
本実施形態に係るシュリンクフィルム付台紙１では、立体に組み立てたときに、載置部６の縁端部６１が折り線８２よりも前側に突出するように構成されているので、被包装物Ｐを第二パネル部５の前面から突出させた状態で延出部６２により支持可能である。したがって、被包装物Ｐが開口部５２から突出した状態でも被包装物Ｐを安定して支持できる。
【００４１】
以上、本発明の一実施形態について説明したが、本発明の技術範囲は上記実施の形態に限定されるものではなく、本発明の趣旨を逸脱しない範囲において各構成要素に種々の変更を加えたり、削除したり、各実施形態の構成を組み合わせたりすることが可能である。
【００４２】
上記実施形態に係るシュリンクフィルム付台紙１の変形例を図４から図６に示す。図４は、変形例のシュリンクフィルム付台紙１０の平面図である。図５は、変形例のシュリンクフィルム付台紙１０を立体に組み立てた状態を示す側面図であり、図６は、同正面図である。上記実施形態におけるシュリンクフィルム付台紙１と同様の構成については、同一の符号を付して重複する説明を省略する。
【００４３】
上記実施形態では、開口部５２が第二パネル部５のみに形成される構成を例示したが、本変形例では、第一パネル部４にも開口部４２が形成されている。図４に示すように、第一パネル部４の開口部４２は、開口部５２と同様に、開口部４２の下端部４３が載置部６と第一パネル部４との間の折り線８１近傍に位置する。
【００４４】
上記実施形態では、載置部６に延出部６２が設けられる構成を示したが、延出部６２は必須の構成ではなく、変形例のシュリンクフィルム付台紙１０のように、延出部６２を設けずに、縁端部６１が折り線８１、８２と同一線上、すなわち、開口部４２、５２の下端部４３、５３であってもよい。変形例のシュリンクフィルム付台紙１０では、載置部６の矢印Ｙ方向（台紙３の長手方向）に沿って接着部３５が設けられ、筒状のシュリンクフィルム２の矢印Ｙ方向の端部が載置部６の縁端部６１、６１よりも上側（図４に示す上側及び下側）に突出するように配置されて接着されている。
【００４５】
上記実施形態では、第一パネル部４及び第二パネル部５のそれぞれの上端部４１、５１同士を当接させて接合する構成を示したが、第一パネル部４と第二パネル部５とを接合させる構成はこれに限定されない。第一パネル部及び第二パネル部の少なくとも一部が互いに接合されればよい。例えば、変形例のシュリンクフィルム付台紙１０では、第一パネル部４０の上端部４１０の矢印Ｘ方向の略中央部にフラップ４４を設け、第二パネル部５０の上端部５１の矢印Ｘ方向の略中央部、且つ、貫通孔９よりも下方に切り込み５４を形成する。矢印Ｙ方向において、第一パネル部４０の寸法は、第二パネル部５０より短い。図６に示すように、第一パネル部４０と、第二パネル部５０とを折り線８１、８２において折り曲げて立ち上げて、第一パネル部４０と第二パネル部５０とを対向させ、フラップ４４を切り込み５４に挿入して、第一パネル部４０と第二パネル部５０とを係合させて接合する。この他、第二パネル部にフラップを形成し、第一パネル部に切り込みを形成して両者を係合させる構成であってもよい。
【００４６】
図５に示すように、変形例のシュリンクフィルム付台紙１０を立体にした場合、第一パネル部４０と、第二パネル部５０と、載置部６とは、側面視において、略二等辺三角形状をなし、第一パネル部４０の開口部４２と第二パネル部５０の開口部５２とに略円柱状の被包装物Ｐが挿入された状態で載置部６に支持される。このような構成であっても、上記実施形態に係るシュリンクフィルム付台紙１と同様に、重量が大きい被包装物や、寸法の縦横比が大きい被包装物を前面に突出させて包装する場合でも、視認性を確保しながら安定して包装可能である。
【００４７】
さらに、変形例のシュリンクフィルム付台紙１０では、第一パネル部４０にも開口部４２が形成されているので、被包装物Ｐを載置部６の奥行方向（矢印Ｙ方向）の略中央部で固定できる。したがって、長尺な被包装物や重量が大きい被包装物であっても、より安定しやすい位置に被包装物の重心を配置できる。また、被包装物の上面及び下面の両方が視認可能となる。そのため、被包装物の上面に商品名等が表示され、底面に成分表示等が記載されている場合等、消費者が両方を確認できるという効果を奏する。
【００４８】
この他、上記実施形態及び変形例では、載置部６に接着部３５を設ける構成を示したが、被包装物が載置部で支持される構成であれば、接着部を設ける位置は特に限定されない。例えば、図示は省略するが、第一パネル部の上下方向に延びるように接着部を設けて、筒状のシュリンクフィルムを第一パネル部の上下方向に筒が延びるように接着し、長尺な被包装物をシュリンクフィルムで密着包装し、被包装物の底面を載置部に当接させた状態で支持する構成であってもよい。この場合、開口部から被包装物の上面側が視認可能に突出する。
【００４９】
この他、上記実施形態では、図２及び図４に示すように、接着部３５が載置部６の矢印Ｙ方向に延びるように設けられる構成を示したが、接着部の延設方向はこれに限定されない。例えば、接着部を載置部または第一パネル部の幅方向（図２及び図４に示す矢印Ｘ方向）に延びるように設け、筒状のシュリンクフィルムの長手軸を接着部が延びる方向に沿うように配置して接着させる構成であってもよい。この場合、加熱処理後は、シュリンクフィルム付台紙の幅方向の両側にシュリンクフィルムの開口が形成されるので、商品が陳列されている間に埃が付着し難い。また、被包装物の側面を前面に配置した包装にも有効である。
【００５０】
上記実施形態及び変形例では、被包装物が略円筒形状である例を示したが、シュリンクフィルム付台紙に包装される被包装物の形状は略円筒形状に限定されず、立方体、直方体、ボトル、チューブ形状等、各種形状の被包装物に適用可能である。
【００５１】
上記実施形態及び変形例では、台紙を立体にした状態で被包装物を筒状のシュリンクフィルム内に配置して加熱し、密着包装する例を挙げたが、台紙を立体にする前に、被包装物を筒状のシュリンクフィルム内に配置して加熱して密着包装してもよい。
【００５２】
また、上記実施形態及び変形例で示した構成は適宜組み合わせることができる。
【符号の説明】
【００５３】
１、１０  シュリンクフィルム付台紙
２  シュリンクフィルム
３  台紙
４、４０  第一パネル部
５、５０  第二パネル部
６  載置部
３５  接着部
４１、５１  上端部
５２  開口部
５３  下端部
６１  縁端部
８１、８２  折り線
【図１】
0006710911.tif 000002
【図２】
0006710911.tif 000003
【図３】
0006710911.tif 000004
【図４】
0006710911.tif 000005
【図５】
0006710911.tif 000006
【図６】
0006710911.tif 000007